【事件の表示】
　特願２００３−２１１３４号「超音波洗浄装置、超音波洗浄方法および超音波洗浄システム」拒絶査定不服審判事件〔平成１６年８月１９日出願公開、特開２００４−２３５３６６号〕について、次のとおり審決する。
【結　論】
　本件審判の請求は、成り立たない。
【理　由】
第１　手続の経緯 
　本願は、平成１５年１月２９日の出願であって、平成２０年８月１１日付けの拒絶理由に対して、同年９月２６日付けで手続補正がされたが、同年１１月４日付けで拒絶査定がなされ、これに対し、同年１２月９日に拒絶査定不服審判の請求がなされるとともに、同日付けで手続補正がなされたものである。 
 　 
第２　平成２０年１２月９日付けの手続補正についての補正却下の決定 
［補正却下の決定の結論］ 
　平成２０年１２月９日付けの手続補正（以下、「本件補正」という）を却下する。 
　 
［理由］ 
　本件補正は、特許請求の範囲については、補正前に
「【請求項１】　洗浄槽と、
　前記洗浄槽に少なくとも一つ設けられ、前記洗浄槽に注入された洗浄液を振動させる振動子と、
　前記振動子を移動させる移動制御手段と、
　
前記洗浄槽の上面を覆う蓋部材を、前記洗浄対象物の出し入れに対応して開閉するように制御する蓋部材開閉制御手段とを備え、
　
前記蓋部材開閉制御手段は、前記蓋部材の前記開閉方向を上下動とし、前記蓋部材を前記洗浄液に浸透させること
・・・
【請求項８】　洗浄槽に注入された洗浄液を振動させることによって前記洗浄液に浸漬された洗浄対象物を洗浄する超音波洗浄方法において、
　移動制御手段により、
前記洗浄対象物の材質や形状および前記振動子を前記洗浄液に浸透させる方向に応じて前記振動子の位置が移動あるいは固定され、前記洗浄中に前記振動子を固定および移動させる制御を行うこと
とあったものを、
「【請求項１】　洗浄槽に注入された洗浄液を振動させることによって前記洗浄液に浸漬された洗浄対象物を洗浄する超音波洗浄装置において、
　洗浄槽と、
　前記洗浄槽に少なくとも一つ設けられ、前記洗浄槽に注入された前記洗浄液を振動させる振動子と、
　前記振動子を、当該振動子が移動可能な移動領域内で移動させる移動制御手段とを備え、
　前記移動制御手段は、前記移動領域を複数のエリアに分割し、未洗浄のエリアから順に移動距離が最短なエリアを順次選択して前記振動子を各エリアに移動させて、所定時間洗浄させるとともに、前記洗浄対象物の凹凸が多い部分に該当するエリアは前記所定時間を長くして洗浄させ、前記洗浄対象物の凹凸が少ない部分に該当するエリアは前記所定時間を短くして洗浄させることを特徴とする超音波洗浄装置。
・・・
【請求項８】　洗浄槽に注入された洗浄液を振動子により振動させることによって前記洗浄液に浸漬された洗浄対象物を洗浄する超音波洗浄方法において、
　移動制御手段により、前記振動子を移動可能な移動領域内で移動させる移動制御工程を含み、
　前記移動制御工程は、前記移動領域を複数のエリアに分割し、未洗浄のエリアから順に移動距離が最短なエリアを順次選択して前記振動子を各エリアに移動させて、所定時間洗浄させるものであり、前記洗浄対象物の凹凸が多い部分に該当するエリアは前記所定時間を長くして洗浄させ、前記洗浄対象物の凹凸が少ない部分に該当するエリアは前記所定時間を短くして洗浄させることを特徴とする超音波洗浄方法。」
と補正しようとするものである。
　
　しかしながら、補正後の請求項１は、補正前の請求項１に記載された発明特定事項である、「洗浄槽の上面を覆う蓋部材」及び「蓋部材開閉制御手段」を、その発明特定事項から削除するものであり、また、補正後の請求項８は、補正前の請求項８に記載された発明特定事項である「前記洗浄対象物の材質や形状および前記振動子を前記洗浄液に浸透させる方向に応じて前記振動子の位置が移動あるいは固定され、前記洗浄中に前記振動子を固定および移動させる制御を行うこと」を、その発明特定事項から削除するものであるので、本件補正は、特許請求の範囲の限定的減縮を目的としたものとは認められない。
　
　また、本件補正は、請求項の削除、誤記の訂正、あるいは明りょうでない記載の釈明の、いずれを目的としたものとも認められない。 
　
　したがって、本件補正は、平成１８年法律第５５号改正附則第３条第１項によりなお従前の例によるとされる同法による改正前の特許法第１７条の２第４項の規定に適合しないので、同法第１５９条第１項において読み替えて準用する同法第５３条第１項の規定により却下すべきものである。 
 　 
第３　本願発明 
　本件補正は、上記のとおり却下されたので、本願の請求項８に係る発明（以下、同項記載の発明を、「本願発明」という）は、平成２０年９月２６日付け手続補正書により補正された特許請求の範囲の請求項８に記載された事項により特定される、以下のとおりのものである。 
　
「洗浄槽に注入された洗浄液を振動させることによって前記洗浄液に浸漬された洗浄対象物を洗浄する超音波洗浄方法において、
　移動制御手段により、前記洗浄対象物の材質や形状および振動子を前記洗浄液に浸透させる方向に応じて前記振動子の位置が移動あるいは固定され、前記洗浄中に前記振動子を固定および移動させる制御を行うことを特徴とする超音波洗浄方法。」 
　なお、請求項８には「前記洗浄対象物の材質や形状および
前記
 　 
 第４　引用例の記載事項 
　これに対して、原査定の拒絶の理由で引用した、特開平６−２６２１４８号公報（以下、「引用例」という。）には、次の事項が図面とともに記載されている。
 　 
１．「【産業上の利用分野】本発明は、電子部品、ＩＣリードフレーム、家電部品、自動車部品、セラミック部品、鉄、非鉄加工製品等に付着した汚れ・ゴミ・油分等を超音波を使って洗滌・脱脂・乾燥する洗滌・乾燥装置に関する。」（段落【０００１】） 
２．「【実施例】以下、本発明の実施例を図面に基づいて説明する。図面に示す実施例は、
超音波振動子１，２を上下に対向させ
　図中、
１７は洗滌室９内に貯えられる洗滌液
２４は上方の超音波振動子１を昇降させる昇降杆
２５は同昇降杆を上下動させるリニアドモータ
　この実施例では、
開閉扉１８を閉め、市水・アリカリ系溶液・純水等の洗滌液１７を洗滌室９内に交代的に貯え、超音波振動子１の高さをリニアドモータ２５で調整した後、通電して超音波振動子１，２を作動させ、洗滌液１７に超音波振動を生起する
被洗滌物８は囲い網４内に封入され、脱落がないようにし、洗滌液の流動と接触を可能としている
被洗滌物８は超音波振動が与えられた洗滌水によって洗滌される
３．上記２．に記載された「超音波振動が与えられた洗滌水によって洗滌」する方法は、超音波洗滌方法といえる。また、「洗滌液１７を洗滌室９内に交代的に貯え、超音波振動子１の高さをリニアドモータ２５で調整した後、通電して超音波振動子１，２を作動させ、洗滌液１７に超音波振動を生起する」との記載からみて、超音波振動子１の高さをリニアドモータ２５で調整するものであるが、超音波振動子１，２の作動時、すなわち、洗滌中は超音波振動子１の高さは固定されるものと認められる。
　
　上記記載事項、認定事項及び図示内容を総合し、本願発明の記載ぶりに則って整理すると、引用例には次の発明（以下、「引用発明」という）が記載されている。 
　
「洗滌室９に貯えられる洗滌液を超音波振動させることによって前記洗滌液に洗滌液の流動と接触した被洗滌物８を洗滌する超音波洗滌方法において、リニアドモータ２５により、超音波振動子１の高さを調整し、洗滌中は超音波振動子１の高さを固定する超音波洗滌方法。」 
　
第５　対比 
　本願発明と引用発明とを対比すると、各文言の意味、機能または作用等からみて、引用発明の「洗滌室９」は、本願発明の「洗浄槽」に相当し、以下同様に、「洗滌液」は「洗浄液」に、「被洗滌物８」は「洗浄対象物」に、「洗滌する」は「洗浄する」に、「超音波洗滌方法」は「超音波洗浄方法」に、「超音波振動子１」は「振動子」に、それぞれ相当する。また、引用発明の「洗滌室９に貯えられる洗滌液」は、本願発明の「洗浄槽に注入された洗浄液」に、同様に、「超音波振動させること」は「振動させること」に、「洗滌液の流動と接触した被洗滌物８」は「洗浄液に浸漬された洗浄対象物」に、それぞれ相当する。
　そして、引用発明の「リニアドモータ２５」は「超音波振動子１」の高さを調整し、洗滌中は超音波振動子１の高さを固定するものであるから、本願発明の「移動制御手段」と、「移動制御手段」として「振動子の位置」を「移動あるいは固定」する点で共通する。
　 
　したがって、両者は、本願発明の用語を用いて表現すると、次の点で一致する。 
（一致点） 
「洗浄槽に注入された洗浄液を振動させることによって前記洗浄液に浸漬された洗浄対象物を洗浄する超音波洗浄方法において、
　移動制御手段により、振動子の位置が移動あるいは固定される超音波洗浄方法。」
　 
　そして、両者は、次の点で相違する。 
（相違点） 
　本願発明の移動制御手段は、「洗浄対象物の材質や形状および振動子を前記洗浄液に浸透させる方向に応じて前記振動子の位置が移動あるいは固定され、前記洗浄中に前記振動子を固定および移動させる制御を行う」のに対し、引用発明の移動制御手段（リニアドモータ２５）は、超音波振動子１の高さを調整し、洗滌中は超音波振動子１の高さを固定するものである点。 
 　 
第６　判断 
　まず、引用発明の「超音波振動子１の高さを調整」する点について検討する。この「超音波振動子１の高さを調整」することは、洗滌開始前に超音波振動子１の高さ、すなわち、洗滌液との距離及び被洗滌物８との距離を、調整して適切な位置に固定することといえる。してみると、本願発明において「洗浄対象物の材質や形状および振動子を前記洗浄液に浸透させる方向に応じて前記振動子の位置が移動あるいは固定され」るということは、洗浄開始前に振動子を洗浄対象物の材質や形状及び洗浄液への浸透位置との関係で適切な位置に固定することを含むのであるから、この点において実質的に相違するものではない。
　そして、超音波を使った洗浄方法において、洗浄効果を高めるために洗浄中に振動子を移動させることは周知（特開平７−１４８１４号公報、特開２００１−１２０９１８号公報）であるので、洗浄中に振動子を固定および移動させる制御を行うようにして、相違点に係る本願発明の発明特定事項のようにすることは、当業者が容易に想到し得たことである。
　
　そして、本願発明による効果も、引用発明及び周知技術から当業者が予測し得た程度のものであって、格別のものとはいえない。 
　 
第７　むすび 
　以上のとおり、本願発明は、引用発明及び周知技術に基いて、当業者が容易に発明をすることができたものであるので、特許法第２９条第２項の規定により、特許を受けることができない。 
　したがって、本願は、他の請求項について検討するまでもなく、拒絶すべきものである。
　
　よって、結論のとおり審決する。